(57)【要約】【課題】シール材がフランジ部の上面から剥がれはじめるまでに要する、摘み部の引き上げ力を抑え、操作性を向上させる。【解決手段】上端開口１１ａを有する有底筒状のカップ体１１と、カップ体の上端開口縁から径方向の外側に向けて突出したフランジ部１２と、フランジ部の上面に剥離可能に接着され、カップ体の上端開口を閉塞するシール材１３と、フランジ部に破断可能な弱化部１６を介して連結された摘み部１４と、を備え、摘み部は、弱化部から周方向に延び、シール材は、弱化部を跨いで摘み部の上面に一体に接着されるとともに、フランジ部と摘み部との間を径方向に跨ぐ連結部１３ａを備えている。【選択図】図１
2020121799.tif 000002
【特許請求の範囲】
【請求項１】
上端開口を有する有底筒状のカップ体と、
このカップ体の上端開口縁から径方向の外側に向けて突出したフランジ部と、
前記フランジ部の上面に剥離可能に接着され、前記カップ体の上端開口を閉塞するシール材と、
前記フランジ部に破断可能な弱化部を介して連結された摘み部と、を備え、
前記摘み部は、前記弱化部から周方向に延び、
前記シール材は、前記弱化部を跨いで前記摘み部の上面に一体に接着されるとともに、前記フランジ部と前記摘み部との間を径方向に跨ぐ連結部を備えている、カップ状容器。
【請求項２】
前記連結部は、前記摘み部における周方向の先端部から離れている、請求項１に記載のカップ状容器。
【請求項３】
上面視において、前記摘み部の周方向の長さが、前記弱化部の長さより長くなっている、請求項１または２に記載のカップ状容器。
【発明の詳細な説明】
【技術分野】
【０００１】
本発明は、カップ状容器に関するものである。
【背景技術】
【０００２】
従来から、例えば下記特許文献１に示されるように、上端開口を有する有底筒状のカップ体と、カップ体の上端開口縁から径方向の外側に向けて突出したフランジ部と、フランジ部の上面に剥離可能に接着され、カップ体の上端開口を閉塞するシール材と、フランジ部に破断可能な弱化部を介して連結された摘み部と、を備え、シール材が、弱化部を跨いで摘み部の上面に一体に接着されたカップ状容器が知られている。
カップ状容器を開封するには、まず、摘み部を、シール材のうち摘み部の上面に接着されている摘み部分とともに引き上げることにより、弱化部を折り曲げて破断し、その後さらに、摘み部をシール材の摘み部分とともに、径方向の内側に向けて引き上げ、シール材をフランジ部の上面から剥がすことによって、カップ体の上端開口を開放させる。
【先行技術文献】
【特許文献】
【０００３】
【特許文献１】特開平１１−２０８６９６号公報
【発明の概要】
【発明が解決しようとする課題】
【０００４】
しかしながら、従来のカップ状容器では、開封に際し、摘み部を引き上げる過程において、シール材がフランジ部の上面から剥がれはじめるまでに大きな引き上げ力を要するという問題があった。この場合、カップ体を強い力で保持する必要がある。
【０００５】
本発明は、このような事情を考慮してなされたもので、シール材がフランジ部の上面から剥がれはじめるまでに要する、摘み部の引き上げ力が抑えられ、操作性を向上させることができるカップ状容器を提供することを目的とする。
【課題を解決するための手段】
【０００６】
上記課題を解決して、このような目的を達成するために、本発明のカップ状容器は、上端開口を有する有底筒状のカップ体と、このカップ体の上端開口縁から径方向の外側に向けて突出したフランジ部と、前記フランジ部の上面に剥離可能に接着され、前記カップ体の上端開口を閉塞するシール材と、前記フランジ部に破断可能な弱化部を介して連結された摘み部と、を備え、前記摘み部は、前記弱化部から周方向に延び、前記シール材は、前記弱化部を跨いで前記摘み部の上面に一体に接着されるとともに、前記フランジ部と前記摘み部との間を径方向に跨ぐ連結部を備えている。
【０００７】
この発明によれば、フランジ部に弱化部を介して連結された摘み部が、周方向に延び、シール材が、フランジ部と摘み部との間を径方向に跨ぐ連結部を備えているので、摘み部を弱化部回りに引き上げたときに、フランジ部の上面に接着されているシール材のうち、連結部と径方向で連なる連設部分も周方向に捲れ上がることとなる。したがって、シール材の前記連設部分とフランジ部との接着界面に、前記連設部分をフランジ部の上面から上方に引き離す向きの大きな力を生じさせることができる。これにより、開封時に、シール材がフランジ部の上面から剥がれはじめるまでに要する、摘み部の引き上げ力を抑えることが可能になり、開封時にカップ体を強く保持する必要がなくなるため、開封時に内容物が飛び出すのを抑制することができる。
摘み部が周方向に延びているので、カップ状容器の径方向のかさ張りを抑えつつ、摘み部の弱化部からの長さを長く確保することが可能になり、開封に際し、摘み部に対する弱化部回りの引き上げ力を、梃子の原理により増幅させて、シール材の前記連設部分とフランジ部との接着界面に及ぼすことができる。
シール材が連結部を備えることから、摘み部がフランジ部に対してぐらつくのを抑制することが可能になり、周方向に延びる摘み部を採用したことで、例えば搬送時などに不意に、弱化部が破断されやすくなるのを抑えることができる。
【０００８】
ここで、前記連結部は、前記摘み部における周方向の先端部から離れてもよい。
【０００９】
この場合、連結部が、摘み部における周方向の先端部から離れているので、開封時に、摘み部を弱化部回りに容易に引き上げることが可能になり、摘み部に加えた引き上げ力を、梃子の原理により確実に増幅させて、シール材の前記連設部分とフランジ部との接着界面に及ぼすことができる。
【００１０】
また、上面視において、前記摘み部の周方向の長さが、前記弱化部の長さより長くなってもよい。
【００１１】
この場合、上面視において、摘み部の周方向の長さが、弱化部の長さより長くなっているので、開封時に、摘み部に加えた引き上げ力を、梃子の原理により確実に増幅させて、シール材の前記連設部分とフランジ部との接着界面に及ぼすことができる。
【発明の効果】
【００１２】
本発明によれば、シール材がフランジ部の上面から剥がれはじめるまでに要する、摘み部の引き上げ力が抑えられ、操作性を向上させることができる。
【図面の簡単な説明】
【００１３】
【図１】本発明に係る一実施形態として示したカップ状容器の上面図である。
【図２】図１に示すカップ状容器を径方向の外側から見た側面図であって、シール材がフランジ部の上面から剥がれはじめた状態を示す図である。
【発明を実施するための形態】
【００１４】
以下、図面を参照し、本発明の一実施形態に係るカップ状容器１について説明する。
カップ状容器１は、図１および図２に示されるように、カップ体１１、フランジ部１２、シール材１３、および摘み部１４を備えている。カップ体１１、フランジ部１２、および摘み部１４は、例えばシート成形、若しくは射出成形などにより一体に形成されている。
カップ状容器１としては、例えばカップ体１１にコーヒー用ミルクなどが充填されて用いられる、いわゆるポーションカップなどが挙げられる。カップ状容器１としては、例えばカップ体１１にヨーグルト、プリン、ゼリーなどが充填されて用いられる、いわゆるカップ容器などが挙げられる。カップ状容器１を、調味料を個包装するのに用いてもよい。
【００１５】
カップ体１１は、上端開口１１ａを有する有底筒状に形成されている。カップ体１１は、上下方向から見て円形状を呈する。なお、カップ体１１は、上下方向から見て、例えば矩形状を呈する構成にするなど適宜変更してもよい。
以下、上下方向に延びるカップ体１１の中心軸をカップ軸Ｏといい、上下方向から見て、カップ軸Ｏに交差する方向を径方向といい、カップ軸Ｏ回りに周回する方向を周方向という。
【００１６】
フランジ部１２は、カップ体１１の上端開口縁から径方向の外側に向けて突出している。フランジ部１２は、カップ体１１に全周にわたって連続して配設されている。
フランジ部１２に、径方向の外側に向けて突出し、上下方向から見て三角形状を呈する連結片１５が設けられている。上下方向から見て三角形状を呈する連結片１５を構成する３つの辺部分のうち、第１辺部分１５ａは、フランジ部１２の外周縁の一部と一致し、第２辺部分１５ｂは、フランジ部１２の外周縁の接線をなし、第３辺部分１５ｃは、径方向に延びてフランジ部１２の外周縁と交差し、頂角部分１５ｄは、径方向の外側に向けて突の曲線状を呈する。連結片１５の上面は、フランジ部１２の上面に段差なく連なっている。連結片１５は、フランジ部１２と一体に形成されている。
【００１７】
摘み部１４は、フランジ部１２に破断可能な弱化部１６を介して連結されている。
図示の例では、摘み部１４は、弱化部１６および連結片１５を介してフランジ部１２に連結されている。摘み部１４は、連結片１５およびフランジ部１２と一体に形成されている。摘み部１４は、連結片１５のうちの前記第３辺部分１５ｃから周方向に突出している。つまり、連結片１５のうちの前記第３辺部分１５ｃに、弱化部１６が形成されている。上面視において、摘み部１４の周方向の長さが、弱化部１６の長さより長くなっている。摘み部１４は、カップ軸Ｏを中心とする９０°未満の角度範囲に配設されている。
なお、摘み部１４は、カップ軸Ｏを中心とする９０°以上の角度範囲に配設されてもよい。
【００１８】
摘み部１４は、上面視で周方向に沿って延びるように湾曲した長方形状を呈する。摘み部１４の外周縁、および連結片１５の前記頂角部分１５ｄそれぞれの径方向の位置は、互いに同等になっている。摘み部１４の幅は、フランジ部１２の幅より広くなっている。摘み部１４の内周縁と、フランジ部１２の外周縁と、の間に、周方向の全域にわたって径方向の隙間Ｓが設けられている。この隙間Ｓの幅は、周方向の全域にわたって同等で、かつフランジ部１２の幅より狭くなっている。隙間Ｓの長さは、連結片１５のうちの前記第１辺部分１５ａの長さと同等になっている。
【００１９】
摘み部１４は、フランジ部１２の外周縁を径方向の外側から囲っている。摘み部１４、およびフランジ部１２の各上面の、上下方向の位置は互いに同等になっている。摘み部１４の上面は、連結片１５の上面と段差なく連なっている。
なお、摘み部１４の内周縁とフランジ部１２の外周縁との間に、隙間Ｓを設けず、摘み部１４の内周縁とフランジ部１２の外周縁とが、破断可能な弱化部を介して連結されてもよい。
【００２０】
シール材１３は、フランジ部１２の上面に剥離可能に接着され、カップ体１１の上端開口１１ａを閉塞している。シール材１３は、フランジ部１２および連結片１５の各上面に一体に剥離可能に接着されている。シール材１３は、弱化部１６を跨いで摘み部１４の上面にも接着されている。
【００２１】
シール材１３は、フランジ部１２と摘み部１４との間を径方向に跨ぐ連結部１３ａを備えている。連結部１３ａは、前記隙間Ｓを上方から覆っている。連結部１３ａの周方向の長さは、前記隙間Ｓの長さより短く、連結部１３ａは、摘み部１４における周方向の先端部から離れている。前記隙間Ｓのうち、摘み部１４における周方向の先端部の内周縁と、フランジ部１２の外周縁と、の間に位置する部分は、連結部１３ａに覆われておらず、上下方向に開口している。これにより、摘み部１４における周方向の先端部は、連結部１３ａにより拘束されていない自由端となっている。
【００２２】
フランジ部１２の上面と、シール材１３と、を接着する接着層のうち、フランジ部１２の上面における内周部分と、シール材１３と、を接着する部分は、他よりも接着強度が高い第１強接着層１７となっている。第１強接着層１７は、全周にわたって連続して延びている。
摘み部１４の上面と、シール材１３と、を接着する接着層のうち、摘み部１４の上面における内周部分、および外周部分と、シール材１３と、を接着する各部分は、他よりも接着強度が高い第２強接着層１８となっている。
第１強接着層１７、および第２強接着層１８それぞれの接着強度は、互いに同等になっている。なお、第１強接着層１７、および第２強接着層１８それぞれの接着強度を、互いに異ならせてもよい。
【００２３】
次に、カップ状容器１を開封する方法について説明する。
【００２４】
まず、図２に示されるように、摘み部１４における周方向の先端部を、シール材１３のうち摘み部１４の上面に接着されている摘み部分とともに引き上げると、連結部１３ａが周方向に捲れ上がる。これにより、フランジ部１２の上面に接着されているシール材１３のうち、連結部１３ａと径方向に連なる連設部分も周方向に捲れ上がり、シール材１３の前記連設部分が、フランジ部１２の上面から剥がされる。この際、弱化部１６が折り曲げられて破断される。その後、継続して、摘み部１４をシール材１３における前記摘み部分および前記連設部分とともにフランジ部１２に対して移動させ、シール材１３をフランジ部１２の上面から剥がすことで、カップ体１１の上端開口１１ａを開放し、カップ状容器１を開封する。
【００２５】
以上説明したように、本実施形態によるカップ状容器１によれば、フランジ部１２に弱化部１６を介して連結された摘み部１４が、周方向に延び、シール材１３が、フランジ部１２と摘み部１４との間を径方向に跨ぐ連結部１３ａを備えているので、摘み部１４を弱化部１６回りに引き上げたときに、フランジ部１２の上面に接着されているシール材１３のうち、連結部１３ａと径方向で連なる連設部分も周方向に捲れ上がることとなる。したがって、シール材１３の前記連設部分とフランジ部１２との接着界面に、前記連設部分をフランジ部１２の上面から上方に引き離す向きの大きな力を生じさせることができる。
これにより、開封時に、シール材１３がフランジ部１２の上面から剥がれはじめるまでに要する、摘み部１４の引き上げ力を抑えることが可能になり、開封時にカップ体１１を強く保持する必要がなくなるため、開封時に内容物が飛び出すのを抑制することができる。
【００２６】
摘み部１４が周方向に延びているので、カップ状容器１の径方向のかさ張りを抑えつつ、摘み部１４の弱化部１６からの長さを長く確保することが可能になり、開封に際し、摘み部１４に対する弱化部１６回りの引き上げ力を、梃子の原理により増幅させて、シール材１３の前記連設部分とフランジ部１２との接着界面に及ぼすことができる。
シール材１３が連結部１３ａを備えることから、摘み部１４がフランジ部１２に対してぐらつくのを抑制することが可能になり、周方向に延びる摘み部１４を採用したことで、例えば搬送時などに不意に、弱化部１６が破断されやすくなるのを抑えることができる。
【００２７】
連結部１３ａが、摘み部１４における周方向の先端部から離れているので、開封時に、摘み部１４を弱化部１６回りに容易に引き上げることが可能になり、摘み部１４に加えた引き上げ力を、梃子の原理により確実に増幅させて、シール材１３の前記連設部分とフランジ部１２との接着界面に及ぼすことができる。
【００２８】
上面視において、摘み部１４の周方向の長さが、弱化部１６の長さより長くなっているので、開封時に、摘み部１４に加えた引き上げ力を、梃子の原理により確実に増幅させて、シール材１３の前記連設部分とフランジ部１２との接着界面に及ぼすことができる。
【００２９】
本発明は上記した実施の形態に限定されるものではなく、その趣旨を逸脱しない範囲で適宜変更可能である。
【００３０】
例えば前記実施形態では、シール材１３の連結部１３ａが、摘み部１４における周方向の先端部から離れている構成を示したが、連結部として、摘み部１４の先端部とフランジ部１２との間を径方向に跨ぐ構成を採用してもよい。
上面視において、摘み部１４の周方向の長さを、弱化部１６の長さ以下としてもよい。
連結片１５の上面視形状は、前記実施形態に限らず、適宜変更してもよい。
摘み部１４に、例えば周方向に延びる補強リブ若しくは補強溝を形成してもよい。この場合、摘み部１４を弱化部１６回りに引き上げるときに、摘み部１４が変形するのを抑制することができる。
フランジ部１２の上面と、シール材１３と、を接着する接着層は、カップ体１１内を密封できれば、フランジ部１２の上面の全域にわたって設けられなくてもよい。
【００３１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３２】
１  カップ状容器
１１  カップ体
１１ａ  上端開口
１２  フランジ部
１３  シール材
１３ａ  連結部
１４  摘み部
１６  弱化部
【図１】
2020121799.tif 000003
【図２】
2020121799.tif 000004